(57)【要約】【課題】廃棄物処分場の廃棄物内又は汚染土壌内の汚染物質を除去し、早期かつ均一に廃棄物内又は汚染土壌内の安定化を可能にする。【解決手段】汚染物の浄化システムの浄化方法は、注入孔１１から圧入される水又は空気が廃棄物８内の汚染物質を含みながら廃棄物８内を移動し、捕捉体設置孔１０を通過して浄化され、捕捉体設置孔１０の周囲に削孔される観測孔１６に流入する浸透水及びガスの成分をモニタリングする。観測孔１６の孔底が廃棄物処分場の底部に敷設されている排水管２４よりもやや深くなるように掘削されており、観測孔１６に流入した浸透水は観測孔１６の孔底に貯留される。貯留能力を超える浸透水はオーバーフローして排水管２４に流出し、排水される。浸透水及びガスの成分分析結果は地上の監視室にて監視され、注入孔１１から注入される水又は空気量にフィードバックされる。【選択図】      図７
2006035121.tif 000002
【特許請求の範囲】
【請求項１】
廃棄物処理場の廃棄物内又は汚染土壌内の汚染物質を浄化するシステムであって、透水性を有する立体的な網目構造からなる筒状の包囲部材と、該包囲部材内に挿通され、汚染物質を分解又は吸着する反応性材とを備える棒状の捕捉体を廃棄物処理場の廃棄物内又は汚染土壌内に配設することを特徴とする汚染物の浄化システム。
【請求項２】
前記包囲部材は接続手段により接続可能であり、該接続手段は接続する包囲部材間の流体の移動を制限可能であることを特徴とする請求項１に記載の汚染物質の浄化システム。
【請求項３】
廃棄物処理場の廃棄物内又は汚染土壌内の汚染物質を含み、前記反応性材まで移動させる流体を注入するために削孔され、孔内にケーシングとして配設される前記包囲部材を備え、流体を注入する注入孔を有することを特徴とする請求項１又は２に記載の汚染物の浄化システム。
【請求項４】
前記注入孔の前記包囲部材内に配設され、膨張可能な外筒部が加圧によって膨張し前記包囲部材の内壁面に密着する１以上のパッカーと、
該パッカーにて区切られる区間にそれぞれ異なる圧力の流体を供給可能な１以上の流体供給装置と、
前記パッカー内を挿通し、前記パッカーにて区切られる区間にそれぞれ異なる圧力の流体を供給する１以上の注入管とを備える多層式注入孔を有することを特徴とする請求項１〜３のいずれかに記載の汚染物の浄化システム。
【請求項５】
廃棄物処理場の廃棄物内又は汚染土壌内の汚染状況をモニタリングするために前記注入孔又は前記多層式注入孔の周囲に削孔され、孔内にケーシングとして配設される前記包囲部材と、孔内に流入する流体の成分を分析する分析装置とを備え、孔内に流入する流体の成分をモニタリングする観測孔を有することを特徴とする請求項１〜４のいずれかに記載の汚染物の浄化システム。
【請求項６】
前記観測孔の前記包囲部材内に配設され、孔内に流入する流体を孔外に導く吸引管と、
孔内に流入する流体を吸引し、孔外に排出する吸引装置とを備える吸引孔を有することを特徴とする請求項１〜５のいずれかに記載の汚染物の浄化システム。
【請求項７】
前記注入孔又は前記多層式注入孔から圧入される流体が廃棄物内又は汚染土壌内の汚染物質を含みながら廃棄物内又は汚染土壌内を移動し、
前記注入孔の周囲に削孔され、前記捕捉体が配設される捕捉体設置孔を通過する際に、流体中に含まれる汚染物質が捕捉されることを特徴とする請求項１〜６のいずれかに記載の汚染物の浄化システム。
【請求項８】
前記注入孔又は前記多層式注入孔から圧入される流体が廃棄物内又は汚染土壌内の汚染物質を含みながら廃棄物内又は汚染土壌内を移動し、
前記注入孔の周囲に削孔され、前記捕捉体が配設される捕捉体設置孔を通過し、
該捕捉体設置孔の周囲に削孔される前記観測孔に流入する流体の成分をモニタリングすることを特徴とする請求項１〜７のいずれかに記載の汚染物の浄化システム。
【請求項９】
前記注入孔又は前記多層式注入孔から圧入される流体が廃棄物内又は汚染土壌内の汚染物質を含みながら廃棄物内又は汚染土壌内を移動し、
前記注入孔の周囲に削孔され、前記捕捉体が配設される捕捉体設置孔を通過し、
該捕捉体設置孔の周囲に削孔される前記吸引孔に流入する流体の成分をモニタリングした後、吸引して孔外へ排出することを特徴とする請求項１〜８のいずれかに記載の汚染物の浄化システム。
【発明の詳細な説明】
【技術分野】
【０００１】
本発明は、汚染物を含む廃棄物処理場、汚染土壌地等の浄化技術に関するものである。
【背景技術】
【０００２】
廃棄物処理場の廃棄物内又は汚染土壌内の汚染物質の浄化方法については、多くの方法が提案され、実施されている。  
これらの浄化方法は土地利用や周辺環境への配慮から、廃棄物内又は汚染土壌内から汚染物質を除去し、廃棄物処理場又は汚染土壌地の早期安定化を図るものである。  
たとえば、廃棄物処理場に鉛直孔を掘削し、この鉛直孔内にスリット付きケーシングとケーシング内にゼオライト等の汚染物質を分解又は吸着する反応性材とを配設し、廃棄物内の汚染物質を含む浸透水及びガスが反応性材を通過する際に、汚染物質を浄化する方法が提案されている（特許文献１を参照）。  
また、廃棄物処分場の表層に覆土としてゼオライト等の反応性材を混合した土壌を敷設し、廃棄物内から発生する汚染物質を含むガスが表層を通過する際に、汚染物質を浄化する方法が提案されている（特許文献２を参照）。
【特許文献１】特開２００１−３３４２５０
【特許文献２】特開２００４−５００３３
【発明の開示】
【発明が解決しようとする課題】
【０００３】
しかし、従来の鉛直孔にスリット付きケーシングと反応性材とを配設する方法は、スリット付きケーシングは単体で用いると短時間で目詰まりするために、実際は網目状の不織布やネットで覆われて孔内に配設されており、現場で手間がかかるという問題点があった。また、スリット付きケーシングには、鋼管又は塩ビ管が主に使用されるが、鋼管は長期間設置すると錆が発生して浸透水に鉄分が添加され、浸透水の浄化程度を定期的に確認する水質分析結果に影響をおよぼし、かつ、浄化の負担を増加させるという問題点があった。
【０００４】
また、最近は分別破砕不燃ごみと焼却灰とが混合され、緻密となってごみ内部の間隙が少なくて通気、通水性が悪く、準好気性条件が成り立ちにくくなっており廃棄物層内を好気性条件とするために水及び空気を加圧して供給する際に、ケーシングが塩ビでは破損するという問題点があった。
【０００５】
そして、廃棄物処分所の表層に覆土として反応性材を混合した土壌を敷設する方法は、浸透水は廃棄物処分場の下方に向かうために浸透水中に含まれる有害物質は捕捉できないという問題点があった。
【０００６】
そこで本発明は、以上の問題を解決するもので、廃棄物処分場の廃棄物内又は汚染土壌内の汚染物質を除去し、早期かつ均一に廃棄物内又は汚染土壌内の安定化を可能にする汚染物の浄化システムを提供することを目的としている。
【課題を解決するための手段】
【０００７】
上記問題点を解決する本発明は、廃棄物処理場の廃棄物内又は汚染土壌内の汚染物質を浄化するシステムであって、透水性を有する立体的な網目構造からなる筒状の包囲部材と、該包囲部材内に挿通され、汚染物質を分解又は吸着する反応性材とを備える棒状の捕捉体を廃棄物処理場の廃棄物内又は汚染土壌内に配設することを特徴とする（第１の発明）。
【０００８】
第２の発明は、第１の発明において、前記包囲部材は接続手段により接続可能であり、該接続手段は接続する包囲部材間の流体の移動を制限可能であることを特徴とする。
【０００９】
第３の発明は、第１又は２の発明において、廃棄物処理場の廃棄物内又は汚染土壌内の汚染物質を含み、前記反応性材まで移動させる流体を注入するために削孔され、孔内にケーシングとして配設される前記包囲部材を備え、流体を注入する注入孔を有することを特徴とする。
【００１０】
第４の発明は、第１〜３のいずれかの発明において、前記注入孔の前記包囲部材内に配設され、膨張可能な外筒部が加圧によって膨張し前記包囲部材の内壁面に密着する１以上のパッカーと、該パッカーにて区切られる区間にそれぞれ異なる圧力の流体を供給可能な１以上の流体供給装置と、前記パッカー内を挿通し、前記パッカーにて区切られる区間にそれぞれ異なる圧力の流体を供給する１以上の注入管とを備える多層式注入孔を有することを特徴とする。
【００１１】
第５の発明は、第１〜４のいずれかの発明において、廃棄物処理場の廃棄物内又は汚染土壌内の汚染状況をモニタリングするために前記注入孔又は前記多層式注入孔の周囲に削孔され、孔内にケーシングとして配設される前記包囲部材と、孔内に流入する流体の成分を分析する分析装置とを備え、孔内に流入する流体の成分をモニタリングする観測孔を有することを特徴とする。
【００１２】
第６の発明は、第１〜５のいずれかの発明において、前記観測孔の前記包囲部材内に配設され、孔内に流入する流体を孔外に導く吸引管と、孔内に流入する流体を吸引し、孔外に排出する吸引装置とを備える吸引孔を有することを特徴とする。
【００１３】
第７の発明は、第１〜６のいずれかの発明において、前記注入孔又は前記多層式注入孔から圧入される流体が廃棄物内又は汚染土壌内の汚染物質を含みながら廃棄物内又は汚染土壌内を移動し、前記注入孔の周囲に削孔され、前記捕捉体が配設される捕捉体設置孔を通過する際に、流体中に含まれる汚染物質が捕捉されることを特徴とする。
【００１４】
第８の発明は、第１〜７のいずれかの発明において、前記注入孔又は前記多層式注入孔から圧入される流体が廃棄物内又は汚染土壌内の汚染物質を含みながら廃棄物内又は汚染土壌内を移動し、前記注入孔の周囲に削孔され、前記捕捉体が配設される捕捉体設置孔を通過し、該捕捉体設置孔の周囲に削孔される前記観測孔に流入する流体の成分をモニタリングすることを特徴とする。
【００１５】
第９の発明は、第１〜８のいずれかの発明において、前記注入孔又は前記多層式注入孔から圧入される流体が廃棄物内又は汚染土壌内の汚染物質を含みながら廃棄物内又は汚染土壌内を移動し、前記注入孔の周囲に削孔され、前記捕捉体が配設される捕捉体設置孔を通過し、該捕捉体設置孔の周囲に削孔される前記吸引孔に流入する流体の成分をモニタリングした後、吸引して孔外へ排出することを特徴とする。
【発明の効果】
【００１６】
本発明による汚染物の浄化システムは、廃棄物処分場の廃棄物内又は汚染土壌内の汚染物質を除去し、早期かつ均一に廃棄物内又は汚染土壌内の安定化を可能にする。
【発明を実施するための最良の形態】
【００１７】
本発明方法の好ましい実施例について図面を用いて詳細に説明する。  
図１は本発明の実施例における包囲部材と接続手段との接続方法を示す外観斜視図である。
【００１８】
図１に示すとおり、包囲部材１は立体的な網目構造をした円筒形状排水管であり、全体が複雑に絡んだ網目状で透水性を有する。材質は樹脂からなり、耐圧縮性を有し、かつ、長手方向には低荷重で大きくたわむ性質を有しており、廃棄物処分場内や土壌内の地形変形にも追随することが可能である。
【００１９】
包囲部材１は、本実施例では、例えば、長さ２ｍ、外径１２０ｍｍ、内径６０ｍｍ、重さ３．２ｋｇ、空隙率が８４．４％で、導水勾配が０．００５、０．００１のときの透水係数がそれぞれ０．２８４ｍ／ｓｅｃ、０．１２７ｍ／ｓｅｃ（粗度係数：０．０２４、マニングの式により算出）を使用する。
【００２０】
また、包囲部材１は網目構造を有することから、外周面全体から浸透水又はガスを孔内へ流入させることが可能であり、廃棄物層又は汚染土壌内に大きな導水勾配を与えることにより、多くの浸透水又はガスを流入させることが可能である。
【００２１】
接続手段２は、略円筒形状を有し、この円筒形の外周面の中央部に位置する円板状の突起部２ａ、円筒形の外周面全体に複数の小さなくさび形の突起部２ｂを備える接続体２ｃと外径が包囲部材１の外径と等しく内径が接続部材の外径と等しくて、接続する包囲部材１間の流体の移動を阻止するゴム製のシール材２ｄとからなる。
【００２２】
包囲部材１同士は接続手段２を介して接続可能であり、接続される包囲部材１間の流体の移動はシール材２ｄにて阻止される。  
円板状の突起部２ａの外径は、接続体２ｃと包囲部材１とを接続する際に、突起部２ａが包囲部材１の外周に突出しないように包囲部材１の外径よりやや小さくする。  
また、くさび形の突起部２ｂは、突起部２ａを境にして、くさび形状の先端が接続手段２のそれぞれの端部を向いており、包囲部材１を接続する際は容易に接続でき、かつ、接続後は外れにくく接続することが可能である。くさび形の突起部２ｂは、本実施例では、接続体２ｃの外周面に千鳥格子状に配置されているが、螺旋状でも良い。  
接続体２ｃは、本実施例では、例えば、長さ２０ｃｍ、外径６０ｍｍ、内径５８ｍｍ、重さ０．２ｋｇ、材質は樹脂である。
【００２３】
図２は本発明の実施例における汚染物の浄化システムの捕捉体の配設状態図である。  
図２に示すとおり、汚染物の浄化システムは、廃棄物処理場の廃棄物８内又は汚染土壌９内の汚染物質を浄化するシステムであって、透水性を有する立体的な網目構造からなる筒状の包囲部材１と、包囲部材１同士を接続する接続手段２と、籠３に詰められて包囲部材１内に挿通され、汚染物質を分解若しくは吸着する反応性材４と、複数の籠３を直列に接続するロープ５と、このロープ５の孔底側端部に接続され、反応性材４の孔内への挿入を容易にするおもり６とを備える棒状の捕捉体７が廃棄物８内又は汚染土壌９内に削孔される捕捉体設置孔１０内に配設される。
【００２４】
削孔される捕捉体設置孔１０の長さは数ｍ〜数十ｍあり、この長さに対応するように複数の包囲部材１を接続する。包囲部材１同士を接続する際は、まず、２枚のシール材２ｄを接続体２ｃの円板状の突起部２ａを挟み込むように上下からそれぞれ挿通し、次に、接続体２ｃの両端部をそれぞれの包囲部材１に挿通して、包囲部材１同士を接続する。
【００２５】
鉛直孔又は斜孔に捕捉体７を配設する場合においては、浸透水は孔内へ流入する際は、孔底側である包囲部材１の下部に貯留してシール材２ｄを下方に押し付け、ガスは孔内へ流入する際は、孔口側である包囲部材１の上部に貯留してシール材２ｄを上方に押し付けることにより浸透水及びガスの包囲部材１間内での孔内軸方向の移動を阻止し、反応性材４へ導くことが可能である。
【００２６】
そして、水平孔に捕捉体７を配設する場合においては、浸透水及びガスは孔内へ流入する際は、包囲部材１を通過して反応性材４へ移動する。また、短時間に多量の浸透水が流入して一時的に反応性材４の処理能力を超えた場合においては、浸透水及びガスが処理能力を有する反応性材４へ包囲部材１間を孔内軸方向に移動できるようにシール材２ｄは配設しないほうが好ましい。
【００２７】
反応性材４は、ゼオライト、活性炭、炭、シリカゲル、アルミナ等の多孔性材料を使用することが可能であり、本実施例では、ゼオライトを使用する。ゼオライトの粒径に制限はないが、粉状では汚染水と一緒に流されてしまう可能性があり、礫状では隣接する礫同士の隙間が大き過ぎて汚染水が通過してしまい吸着効果が減少する可能性があるために粒径は０．５〜１０ｍｍ程度が好ましい。ゼオライトの粒状の形状は必ずしも球状でなく、多角形状でも良い。粒径が０．５〜１０ｍｍ程度の多角形状の場合においては、隣接するゼオライト同士に適度な隙間ができ、浸透水及びガスの捕捉体７中の移動が容易になり、汚染物質の捕捉が有効に行われる。
【００２８】
また、ゼオライトは、透水性を有する網目構造からなる樹脂製の中空状の籠３の中に詰められており、籠３の外径は包囲部材１の内径よりやや小さいために容易に包囲部材１内を挿通可能である。籠３の材質は樹脂又は金網等が望ましいが、耐水性及び透水性を有するものであれば他の材質でも良い。
【００２９】
ロープ５は反応性材４の詰められた籠３同士を直列に接続し、このロープ５を引っ張り揚げることにより反応性材４を孔内から容易に引き揚げることが可能である。この際、汚染物質を含んだ反応性材４は籠３の中にあるために反応性材４を孔内に残置することなく、すべて排出することが可能である。ロープ５の材質は、金属製のワイヤーロープが望ましいが、耐水性及び強度を有するものであれば他の材質でも良い。
【００３０】
なお、捕捉体設置孔１０の孔口は雨水が流入しないように蓋１０ｃにて止水されている。
【００３１】
図３（ａ）は本発明の実施例における汚染物の浄化システムの注入孔の断面図、図３（ｂ）は本発明の実施例における汚染物の浄化システムの多層式注入孔の断面図である。
【００３２】
図３（ａ）に示すとおり、廃棄物処理場の廃棄物８内又は汚染土壌９内の汚染物質を含み、捕捉体７まで移動させる液体又は気体を注入するために削孔される注入孔１１は、孔内にケーシングとして包囲部材１が配設される。注入孔１１の孔口は雨水が流入しないように蓋１０ｃにて止水されている。
【００３３】
包囲部材１は長期間水浸しても水質に影響を与えることは無く、かつ、液体又は気体を圧入しても破損しない強度を有する。また、包囲部材１は網目構造を有することから、外周面全体から均等に液体又は気体を廃棄物層内又は汚染土壌内へ流出させることが可能であり、ある特定箇所の孔壁に負荷をかけることがないために、孔壁の崩壊を防ぐことが可能である。
【００３４】
注入孔１１から廃棄物８内又は汚染土壌９内に気体を注入すると気体が覆土の表面から大気中に流出する可能性が有るために注入孔１１周辺には覆土を覆うように遮水シート１２を敷設して気体の流出を防止する。
【００３５】
図３（ｂ）に示すとおり、汚染物の浄化システムの多層式注入孔１３は、注入孔１１内の包囲部材１内に配設され、膨張可能な外筒部が加圧によって膨張し、この包囲部材１の内壁面に密着する６個のパッカー１４と、パッカー１４同士及びパッカー１４と孔底とにて区切られる６つの区間にそれぞれ異なる圧力の液体又は気体を供給可能な供給装置１５と、パッカー１４内を挿通し、パッカー１４にて区切られる区間にそれぞれ異なる圧力の流体を供給する６本の注入管Ｌとを備える。
【００３６】
本実施例では、例えば、深さ１５ｍの孔内を６つの区間に分け、パッカー１４を６個、注入管を６本使用したが、孔内の分割数は適宜、変更可能である。
【００３７】
パッカー１４の外筒部は軟質なゴムにて構成されているために、包囲部材１内面への密着性及び遮水性に優れており、パッカー１４の中心の設置位置を接続手段２の中心と同深度にすることにより、パッカーにて区切られる区間同士の液体及び気体の孔内軸方向への移動を阻止し、注入を効果的に行うことが可能である。
【００３８】
供給装置１５は、多層式注入孔１３内のパッカー１４で区切られる区間毎にそれぞれ異なる圧力の液体又は気体を供給するものであり、例えば、コンプレッサ又は水ポンプを使用する。
【００３９】
本実施例では、すべてのパッカー区間に異なる圧力の液体又は気体を供給可能にしたが、注入圧力は現場状況に応じて適宜、変更可能である。
【００４０】
なお、多層式注入孔１３の孔口は雨水が流入しないように蓋１０ｃにて止水されている。
【００４１】
図４は本発明の実施例における汚染物の浄化システムの観測孔の断面図である。  
図４に示すとおり、廃棄物８内又は汚染土壌９内の汚染状況をモニタリングするために注入孔１１又は多層式注入孔１３の周囲に削孔され、孔内に流入する浸出水及びガスの成分をモニタリングする観測孔１６は、観測孔１６内にケーシングとして配設される包囲部材１と、観測孔１６内に流入する浸透水及びガスの成分をそれぞれ分析する水質分析装置１７、ガス分析装置１８とを備える。
【００４２】
水質分析装置１７は、浸透水の水質成分を分析するセンサー部ＷＳを孔底付近に、分析結果を整理し表示するＰＣ等を地上に設置する。ガス分析装置１８は、孔内に流入する気体成分を分析するセンサー部ＧＳは孔口付近に、分析結果を整理し表示するＰＣ等を地上に設置する。水質及びガス分析装置１８にて分析した結果は監視室（図示せず）にて常時監視される。
【００４３】
図５は本発明の実施例における汚染物の浄化システムの吸引孔の断面図である。  
図５に示すとおり、汚染物の浄化システムの吸引孔１９は、観測孔１６の包囲部材１内に配設され、孔内に流入する浸透水及びガスをそれぞれ孔外に導く吸引管２０、２１と、孔内に流入する浸出水及びガスをそれぞれ吸引し、孔外に排出する浸透水吸引装置２２、ガス吸引装置２３とを備える。
【００４４】
吸引管２０の一端は浸透水を揚水するために孔底付近に設置され、他端は地上の揚水ポンプ等の浸透水吸引装置２２に接続される。  
吸引管２１の一端はガスを吸引するために孔口付近に設置され、他端は地上の真空ポンプ等のガス吸引装置２３に接続される。  
孔内から吸引された浸透水及びガスは地上の浄化設備（図示せず）にて浄化されて河川、大気中に放出される。  
上記で示した注入孔１１、捕捉体設置孔１０、観測孔１６、吸引孔１９を使用して汚染物質を捕捉する方法を以下に示す。
【００４５】
図６は本発明の実施例における汚染物の浄化システムの浄化方法を廃棄物処分場に使用した状態図である。  
図６に示すとおり、表面が覆土で覆われており、雨水が浸入可能なオープン型の廃棄物処理場における汚染物の浄化システムの浄化方法は、廃棄物８全体に供給される水が覆土を通過して廃棄物層８内に流入し、廃棄物８内の汚染物質を含みながら廃棄物８内を移動し、廃棄物処分場に所定の間隔を設けて削孔される鉛直及び水平な捕捉体設置孔１０を通過して浄化され、浄化された水は廃棄物処理場の底部に敷設されている排水管２４を通過して処分場外に排出される。  
鉛直孔１０ａは、捕捉体７が汚染物質を捕捉した後、捕捉体７を孔内から引き揚げ、新しい捕捉体７を孔内に配設することで、廃棄物８内の汚染物質を除去することが可能である。  
また、水平孔１０ｂは、捕捉体７が汚染物質を捕捉した後、そのまま廃棄物処分場に残置させてもよいが、水平孔の両端部を鉛直孔と接続させることにより（図示せず）、鉛直孔１０ａ内の捕捉体７を交換する際に同時に交換することも可能である。
【００４６】
図７は本発明の実施例における汚染物の浄化システムの浄化方法を廃棄物処分場に使用した状態図である。  
図７に示すとおり、汚染物の浄化システムの浄化方法は、注入孔１１から圧入される水又は空気が廃棄物８内の汚染物質を含みながら廃棄物８内を移動し、注入孔１１の周囲に削孔される鉛直な捕捉体設置孔１０を通過して浄化され、捕捉体設置孔１０の周囲に削孔される観測孔１６に流入する浸透水及びガスの成分をモニタリングする。注入孔１１、多層式注入孔１３、捕捉体設置孔１０、観測孔１６には雨水が直接入らないようにそれぞれの孔口は蓋１０ｃで覆われている。  
観測孔１６は、孔底が廃棄物処分場の底部に敷設されている排水管２４よりもやや深くなるように掘削されており、観測孔１６に流入した浸透水は一時的に観測孔１６の孔底に貯留される。貯留能力を超える浸透水はオーバーフローして排水管２４に流出するために恒に新しい浸出水に置換される。  
観測孔１６により観測される浸透水及びガスの成分分析結果は地上の監視室にて監視され、注入孔１１から注入される水又は空気量にフィードバックされる。
【００４７】
図８は本発明の実施例における汚染物の浄化システムの浄化方法を廃棄物処分場に使用した状態図である。  
図８に示すとおり、汚染物の浄化システムの浄化方法は、多層式注入孔１３から圧入される水又は空気が廃棄物８内の汚染物質を含みながら廃棄物８内を移動し（図中では矢印で示す）、多層式注入孔１３の周囲に削孔され、捕捉体７が配設される鉛直な捕捉体設置孔１０を通過し、捕捉体設置孔１０の周囲に削孔される吸引孔１９に流入する新透水及びガスの成分をモニタリングした後、浸透水吸引装置２２、ガス吸引装置２３にてそれぞれ吸引して孔外へ排出される。
【００４８】
多層式注入孔１３を利用して透水又は透気試験、トレーサー試験、圧力伝播試験等の廃棄物８内の流体通過路を検知する試験にて廃棄物８内の透水性又は透気性を確認する。廃棄物８内の高透水性部又は高透気性部と低透水性部又は低透気性部を分けるようにパッカー１４を設置し、高透水性部又は高透気性部を含むパッカー区間は注入圧力を小さく、低透水性部又は低透気性部を含むパッカー区間は注入圧力を大きくすることによって、廃棄物８内に均等に水又は空気を注入することが可能となる。
【００４９】
また、吸引孔１９内を減圧して廃棄物８内に負圧を発生させ、捕捉体設置孔１０と吸引孔１９との間の廃棄物８内の導水勾配を大きくすると、捕捉体設置孔１０から吸引孔１９への捕捉体設置孔１０にて浄化された浸透水及びガスの流出量は増加する。捕捉体設置孔１０内の浸透水及びガスの流出量の増加により汚染物質を含む浸透水及びガスは捕捉体設置孔１０内へ流入し易くなり、捕捉効率を上昇させることが可能となる。
【００５０】
さらに、上記にて示した廃棄物処分場に注入孔１１、捕捉体設置孔１０、観測孔１６、吸引孔１９を設ける方法は適宜組み合わせて使用することが可能である。
【００５１】
本実施例では、廃棄物処分場について示したが、土壌汚染地においても適用可能である。
【図面の簡単な説明】
【００５２】
【図１】本発明の実施例における包囲部材と接続手段との接続方法を示す外観斜視図である。
【図２】本発明の実施例における汚染物の浄化システムの捕捉体の配設状態図である。
【図３（ａ）】本発明の実施例における汚染物の浄化システムの注入孔の断面図である。
【図３（ｂ）】本発明の実施例における汚染物の浄化システムの多層式注入孔の断面図である。
【図４】本発明の実施例における汚染物の浄化システムの観測孔の断面図である。
【図５】本発明の実施例における汚染物の浄化システムの吸引孔の断面図である。
【図６】本発明の実施例における汚染物の浄化システムの浄化方法を廃棄物処分場に使用した状態図である。
【図７】本発明の実施例における汚染物の浄化システムの浄化方法を廃棄物処分場に使用した状態図である。
【図８】本発明の実施例における汚染物の浄化システムの浄化方法を廃棄物処分場に使用した状態図である。
【符号の説明】
【００５３】
１    包囲部材                    ２    接続手段
２ａ  円板状の突起部              ２ｂ  くさび形の突起部
２ｃ  接続体                      ２ｄ  シール材
３    籠                          ４    反応性材
５    ロープ                      ６    おもり
７    捕捉体                      ８    廃棄物
９    汚染土壌                    １０  捕捉体設置孔
１０ａ  （捕捉体設置孔の）鉛直孔
１０ｂ  （捕捉体設置孔の）水平孔
１０ｃ    蓋
１１  注入孔                      １２  遮水シート
１３  多層式注入孔                １４  パッカー
１５  供給装置                    １６  観測孔
１７  水質分析装置                １８  ガス分析装置
１９  吸引孔                      ２０、２１  吸引管
２２  浸透水吸引装置              ２３  ガス吸引装置
２４  排水管                      Ｌ  注入管
ＷＳ  （水質分析装置の）センサー部
ＧＳ  （ガス分析装置の）センサー部
【図１】
2006035121.tif 000003
【図２】
2006035121.tif 000004
【図３（ａ）】
2006035121.tif 000005
【図３（ｂ）】
2006035121.tif 000006
【図４】
2006035121.tif 000007
【図５】
2006035121.tif 000008
【図６】
2006035121.tif 000009
【図７】
2006035121.tif 000010
【図８】
2006035121.tif 000011